(57)【要約】【課題】審美的に人に好まれ、機能的で、かつ風に強い複数の可視炎を生成するライターを提供すること。【解決手段】多数のトーチ状炎のライターは、蒸発器とミキシングチャンバーと少なくとも２つの略Ｖ字配向ノズルとを有するノズルおよび蒸発器アセンブリを備える。蒸発器は、可燃性ガスの出口として機能する中央開口部を有し、それにより蒸発した可燃性ガスのバーストを生成する。ミキシングチャンバーは、少なくとも１つの空気入口を有し、その結果、内部で可燃性ガスと新鮮な空気とが混合される。２つのノズルは、ミキシングチャンバーの上流に合流点を有し、当該ノズルから延び、少量の可燃性ガスをライターの炎チャンバーへと迂回させる複数のチャンネルと協働する。一方で、可燃性ガスのほとんどはノズルを通過して炎チャンバーに入り、点火される際には直線カラム状の炎のトーチを少なくとも２つ形成する。
2004528524.tif 000002
【特許請求の範囲】
【請求項１】
ハウジングと；該ハウジング内に規定され、その内部に液状の可燃性ガスを含有する燃料レザバーと；該可燃性ガスを該燃料レザバーから調整可能に放出するバルブ手段と；該バルブ手段と協働して操作可能であり、該放出された可燃性ガスに火をつける点火手段とを備える、多数のトーチ状炎のライターであって、
該放出された可燃性ガスの出口として機能する中央開口部を有し、それにより蒸発した可燃性ガスのバーストを生成する蒸発器と；少なくとも１つの空気入口を有し、内部で該可燃性ガスと新鮮な空気とが混合されるミキシングチャンバーと；略Ｖ字配向を有する少なくとも２つのノズルと；該ノズルから延び、少量の可燃性ガスを炎チャンバーへと迂回させる複数のチャンネルとを備え、一方で、該可燃性ガスのほとんどは該ノズルを通過して該炎チャンバーに入り、該炎チャンバーで該点火手段が上記迂回ガスおよび上記バーストガスに火をつけ、直線カラム状の炎のトーチを少なくとも２つ形成することを特徴とする、ライター。
【請求項２】
前記迂回チャンネルが、前記Ｖ字配向ノズルの焦点から延び、該Ｖ字配向ノズルの焦点が、前記ミキシングチャンバーの上流であることを特徴とする、請求項１に記載のライター。
【請求項３】
前記蒸発器の中央開口部と前記ミキシングチャンバーとが同軸で前記可燃性ガスの出口経路を形成し、前記Ｖ字配向ノズルが該出口経路に対して対称であることを特徴とする、請求項１に記載のライター。
【請求項４】
前記迂回チャンネルが各ノズルの頂部に隣接して配設され、該ノズルの各々が、該ノズルよりも狭い出口を有することを特徴とする、請求項１に記載のライター。
【請求項５】
前記略Ｖ字配向を有するノズルが、Ｖ字配向ノズルからなる下部セクションと平行ノズルからなる上部セクションの２つのセクションを有することを特徴とする、請求項４に記載のライター。
【請求項６】
多数のトーチ状炎のタバコ用ライターのノズルおよび蒸発器アセンブリであって、
可燃性ガスの出口として機能する中央開口部を有し、それにより蒸発した可燃性ガスのバーストを生成する蒸発器と；
少なくとも１つの空気入口を有し、内部で該可燃性ガスと新鮮な空気とが混合されるミキシングチャンバーと；
略Ｖ字配向を有する少なくとも２つのノズルと；
該ノズルから延び、少量の可燃性ガスを該ライターの炎チャンバーへと迂回させる複数のチャンネルとを備え、一方で、該可燃性ガスのほとんどは該ノズルを通過して該炎チャンバーに入り、該炎チャンバーで該可燃性ガスが点火される際に、直線カラム状の炎のトーチを少なくとも２つ形成することを特徴とする、アセンブリ。
【請求項７】
前記迂回チャンネルが、前記Ｖ字配向ノズルの焦点から延び、該Ｖ字配向ノズルの焦点が、前記ミキシングチャンバーの上流であることを特徴とする、請求項６に記載のアセンブリ。
【請求項８】
前記蒸発器の中央開口部と前記ミキシングチャンバーとが同軸で前記可燃性ガスの出口経路を形成し、前記Ｖ字配向ノズルが該出口経路に対して対称であることを特徴とする、請求項６に記載のアセンブリ。
【請求項９】
前記Ｖ字配向ノズルが、チャンネル化された外表面を有するギア形状ブロックに形成され、該ギア形状ブロックの頂端部に２つの離間したノズル出口と、該ノズルの焦点の平面に空間を規定する該ギア形状ブロックの底部に２つの隣接したノズル入口とを有することを特徴とする、請求項７に記載のアセンブリ。
【請求項１０】
ギア形状ブロックに形成された３つの略Ｖ字配向を有するノズルが存在し、該ギア形状ブロックが、チャンネル化された外表面と、該ギア形状ブロックの頂端部に３つの離間したノズル出口と、該ノズルの焦点の平面に空間を規定する底部に３つの隣接したノズル入口とを有することを特徴とする、請求項７に記載のアセンブリ。
【請求項１１】
前記略Ｖ字配向を有するノズルが、Ｖ字配向ノズルからなる下部セクションと平行ノズルからなる上部セクションの２つのセクションを有することを特徴とする、請求項６に記載のアセンブリ。
【請求項１２】
前記迂回チャンネルが下向きに延びるスロット形状であり、該迂回スロットが、下向きに延びて、前記ミキシングチャンバーと接続および連通するスロート導管の頂部のシート内に適合することを特徴とする、請求項６に記載のアセンブリ。
【請求項１３】
前記少なくとも２つのＶ字配向ノズルがその合流点で表面を有し、該表面が、前記出口経路の軸に存在し、かつ前記ミキシングチャンバーに対面し、その結果、該表面が、前記出て行く可燃性ガスに対して最小の抵抗を有する所定の領域を有することを特徴とする、請求項８に記載のアセンブリ。
【請求項１４】
前記合流表面が１．０ｍｍより小さいことを特徴とする、請求項１３に記載のアセンブリ。
【請求項１５】
前記表面および前記Ｖ字配向ノズルが、可燃性ガスのほとんどを該ノズルを通過させるように、かつ、少量の可燃性ガスを前記迂回チャンネルに迂回させるように配置されていることを特徴とする、請求項１３に記載のアセンブリ。
【請求項１６】
ハウジングと；該ハウジング内に規定され、その内部に液状の可燃性ガスを含有する燃料レザバーと；該可燃性ガスを該燃料レザバーから調整可能に放出するバルブ手段と；該バルブ手段と協働して操作可能であり、該放出された可燃性ガスに火をつける点火手段とを備える、多数のトーチ状炎のライターであって、
該放出された可燃性ガスの出口として機能する中央開口部を有し、それにより蒸発した可燃性ガスのバーストを生成する蒸発器と；少なくとも１つの空気入口を有し、内部で該可燃性ガスと新鮮な空気とが混合されるミキシングチャンバーと；略Ｖ字配向を有する少なくとも２つのノズルと；該ノズルの頂部に隣接して延び、少量の可燃性ガスを炎チャンバーへと迂回させる複数のチャンネルとを備え、一方で、該可燃性ガスのほとんどは該ノズルを通過して該炎チャンバーに入り、該炎チャンバーで該点火手段が上記迂回ガスおよび上記バーストガスに火をつけ、直線カラム状の炎のトーチを少なくとも２つ形成することを特徴とする、ライター。
【請求項１７】
前記迂回チャンネルが各ノズルの頂部に隣接して配設され、該ノズルの各々が、該ノズルよりも狭い出口を有することを特徴とする、請求項１６に記載のライター。
【請求項１８】
前記ノズルが、前記蒸発器およびミキシングアセンブリのシート内に位置する前記ノズルブロックの頂部表面の上方に突出した上部を有することを特徴とする、請求項１６に記載のライター。
【請求項１９】
前記ノズルの上部が互いに平行である、請求項１８に記載のライター。
【発明の詳細な説明】
【技術分野】
【０００１】
本発明は、一般的には、タバコおよび葉巻（シガー）に火をつけるために通常用いられるライターに関する。より詳細には、本発明のライターは、審美的に人に好まれ、機能的で、かつ風に強い複数の可視炎を生成する。さらに重要なことには、当該ライターは、各々がドラム形状または水滴形状よりもむしろ直線状のトーチカラム形状を有する炎を生成する。
【背景技術】
【０００２】
ライターは、タバコおよびシガーを点火する火の元としてマッチに代わる一般的な道具である。ライターは、マッチよりも持ち運びが容易であり、かつ安全である。ライターはまた、審美的に人に好まれる。さらに、設計にもよるが、ライターは、一般的にマッチよりも風に強い。それにもかかわらず、従来のタバコ用ライターはいまだ種々の問題を有しているので、多くの人々がタバコ用ライターの改善に取り組んでいる。
【０００３】
通常のライターは、その内部に燃料レザバーを規定するハウジングを備え、当該燃料レザバーは、ある種の液状可燃性ガスを含有する。当該可燃性ガスを燃料レザバーからバーナーアセンブリへと放出するバルブアセンブリがある。ここで、当該バーナーアセンブリにおいて、点火具（例えば、圧電点火具または火炎貯蔵点火具）が、燃料レザバーから放出されたガス状の可燃性ガスを点火し得る。一旦点火されると、可視炎が形成されタバコまたはシガーを点火し得る。一般に、ライターの炎は、水滴形状を有する単一の可視炎である。このような炎は比較的弱く、および通常はいまだ赤色である。このような炎は、点火すべき目的物から風によって容易に吹き離され、または吹き消されることさえある。安いライターの多くは、高温の炎を生成するほど十分に可燃性ガスを燃焼させることができない。したがって、従来の単一の炎では、点火すべき目的物に狙いを定めるのは困難であり、かつ、シガーまたは容易に点火できないあらゆる目的物を点火するのは困難である。
【０００４】
したがって、タバコ用ライターを改善するために多くの試みがなされている。そのうちのいくつかは、バーナーの効率を改善し、放出されたガスを比較的十分に燃焼させて、「赤い炎」の代わりに「青い炎」を形成することを目的としている。他のいくつか（例えば、Ishiguroの特開平10-238773号公報および米国特許第5,711,662号）は、より広い炎を得るためになされている。これらはいずれも、並列配置された２つの炎バーンアウト穴または２つのバーナーノズルを用い、その結果、それぞれの炎穴またはノズルの出口で互いの炎が一緒になり得る。一緒になった炎（単一の炎）は、上記２つの穴またはノズルを接続する分岐としての幅を有し得る。このような広い炎は、タバコを点火するさらなる熱と、シガーのような広い径を有するタバコとのより広い接触とを提供することが理解され得る。また、他のいくつかの試みは、炎が吹き消されるのを防止する遮蔽手段等を提供するために行われている。しかし、これらのアプローチは、タバコ用ライターが有するすべての問題を真に解決するものではない。
【特許文献１】
特開平10-238773号公報
【発明の開示】
【発明が解決しようとする課題】
【０００５】
本発明者は、炎の先端が炎の本体部分よりも通常高温であること、および、高温の炎の方が低温の炎より簡単に目的物を点火し得ることに注視した。したがって、本発明の目的は、より高温の炎を生成し得るライターを提供することである。
【０００６】
本発明の別の目的は、直線状のトーチカラム形状を有する炎を生成し、炎の先端で高温の炎を得るライターを提供することである。
【０００７】
本発明のさらに別の目的は、直線状のトーチカラム形状を有する少なくとも２つの炎を生成するライターを提供することである。
【０００８】
本発明のさらに別の目的は、より風に強い１つまたは２つの力強いバースト（bursting）炎を生成するライターを提供することである。
【課題を解決するための手段】
【０００９】
本発明によれば、多数の炎を生成するライターは、ハウジングと；該ハウジング内に規定され、その内部に液状の可燃性ガスを含有する燃料レザバーと；該可燃性ガスを該燃料レザバーから調整可能に放出するバルブ手段と；該バルブ手段と協働して操作可能であり、該放出された可燃性ガスに火をつける点火手段と；該放出されたガスの出口として機能する中央開口部を有し、それにより蒸発した可燃性ガスのバーストを生成し、該バーストを少なくとも１つの空気入口を有するミキシングチャンバーに導き、該ミキシングチャンバー内で該可燃性ガスと新鮮な空気とを混合する蒸発器と；略Ｖ字配向を有する少なくとも２つのノズルと；該ノズルから延び、少量の可燃性ガスを炎チャンバーへと迂回させる複数のチャンネルとを備え、一方で、該可燃性ガスのほとんどは該ノズルを通過して該炎チャンバーに入り、該炎チャンバーで該点火手段が上記迂回ガスおよび上記バーストガスに火をつけ、直線カラム状の炎のトーチを少なくとも２つ形成する。
【００１０】
本発明によれば、上記迂回チャンネルは、上記Ｖ字配向ノズルの焦点から延びる。当該Ｖ字配向ノズルの焦点は、上記ミキシングチャンバーの上流である。上記蒸発器の中央開口部と上記ミキシングチャンバーとは同軸で上記可燃性ガスの出口経路を形成し、上記Ｖ字配向ノズルは当該出口経路に対して対称である。
【００１１】
あるいは、上記迂回チャンネルは各ノズルの頂部に隣接して配設され得、一方で、ノズル出口は、上記可燃性ガスの出口経路から延びるノズルチャンネルよりも狭い。しかし、このような迂回チャンネルの作製は、ベースでの迂回チャンネルのＶ字配向ノズルよりも複雑で、かつコストも大きい。このような迂回チャンネルはまた、より正確な機械加工を必要とする。
【００１２】
本発明のライターは多数の炎を生成し得、その各々は直線状のトーチカラム形状を有する。このような炎は、その先端部でより高温を有する。当該バースト炎は、熱のほとんどが先端部に集中しているからである。上記出口経路に沿って、上記蒸発器の中央開口部から放出された可燃性ガスは、ミキシングチャンバー内で新鮮な空気と十分に混合され得、Ｖ字配向ノズルの分岐合流点で小さくかつ適切な抵抗を受け、その結果、上記バースト可燃性ガスのほとんどはノズルを通過し、一方で、少量の当該可燃性ガスがノズルの分岐合流点から迂回させられて迂回チャンネルを移動する。
【００１３】
ノズルから出た炎の主要ジェットは強制的にノズルから出されるので互いに一緒にならず、かつ、それらは風によって容易に吹き離されたり吹き消されたりはしない。迂回チャンネルから出てくる可燃性ガスから生成した周囲の炎は、上記炎の主要ジェットのサポートとして機能し得、当該炎ジェットを維持し得る。ただし、強い風の吹き込みは当該主要ジェットを瞬時に吹き飛ばす。
【００１４】
本発明は、添付の図面および発明の詳細な説明によって、さらに理解され得る。
【発明を実施するための最良の形態】
【００１５】
図１を参照すると、本発明の好ましい実施形態は、燃料レザバー２１を規定するハウジング１と、ハウジング１に取り付けられた点火手段３と、燃料レザバー２１内に配置され、可燃性ガスを当該燃料レザバー２１から調整可能に放出するバルブアセンブリ２２と、蒸発器およびミキシングアセンブリと、バーナーノズルアセンブリとを備える。バルブアセンブリ２２は、バルブ２３と作動レバー５とを有する。作動レバー５は、バルブ２３に回動可能に取り付けられ、かつ、点火手段３に組み込まれている。接続チューブ６は、バルブ２３を蒸発器およびミキシングアセンブリに接続する。
【００１６】
図２に示すように、上記調整可能なバルブ２３は、蒸発器４１の中央開口部４１０を開閉し得る。当該中央開口部は、約０．０５〜０．１２ｍｍである。蒸発器開口部４１０の上流では、ミキシングチャンバー４２が当該中央開口部４１０とほぼ同軸に設けられ、かつ、少なくとも１つの空気入口４２１を有する。スロート導管４２２がミキシングチャンバー４２に接続され、上記バーナーノズルアセンブリに延びる。スロート導管４２２は、１．０〜２．５ｍｍの直径を有し得、かつ、ミキシングチャンバー４２の直径よりも狭い（ただし、図２では、これらは同一の直径を有している）。上記バーナーノズルアセンブリは、ノズルブロック４３と、炎チャンバーまたはバーナー４４とを有する。ノズルブロック４３は、ミキシングチャンバー４２の上流でスロート導管４２２の頂部に取り付けられ、Ｖ字配向を有する少なくとも２つのノズルまたはノズルチャンネル４３１を有する。当該ノズルまたはノズルチャンネルは、約０．５〜１．５ｍｍの直径を有する。上記点火手段３は、炎チャンバー４４内の可燃性ガスに火をつけ得る。ノズルブロック４３は炎チャンバー４４内にあり、それらは共にハウジング１の上部に配置される。
【００１７】
点火手段３のボタンを押し下げることにより、バルブアセンブリ２２の作動レバー５も作動し、その結果、可燃性ガスが燃料レザバー２１から放出され、接続チューブ６を通過し、蒸発器４１に入る。ここで、当該燃料は、中央開口部４１０を通って蒸発する。蒸発した可燃性ガスはミキシングチャンバー４２に入る。ここで、当該蒸発燃料は、空気入口４２１から供給された新鮮な空気と混合され、次いでスロート導管４２２を通過し、ノズルブロック４３に到達する。蒸発器開口部４１、ミキシングチャンバー４２およびスロート導管４２２は、ノズル４３までの可燃性ガスの出口経路を形成する。
【００１８】
Ｖ字配向を有するノズルチャンネル４３１は、スロート導管４２２の上流に位置する合流点または焦点を有する。当該合流点または焦点は、可燃性ガスの出口経路の軸上にある。Ｖ字配向ノズル４３１の合流点は、スロート導管またはミキシングチャンバーに対面する小さな表面領域４３３を有し、当該表面領域４３３は、出て行く可燃性ガスに対して最小の抵抗を有するほどに小さく設計されている。その結果、可燃性ガスのほとんどはノズルチャンネル４３１に入り、一方、きわめて少量の可燃性ガスがＶ字配向ノズル４３１の合流点で迂回させられて迂回チャンネル４３１１を通過する。
【００１９】
図２に示すように、迂回チャンネル４３１１は円筒状であり、かつ、上記出口経路の軸に対して垂直である。当該チャンネルはＶ字配向ノズル４３１の合流点から延び、少量の可燃性ガスを誘導し、当該可燃性ガスが点火される際には周囲の炎の輪を形成する。各々のチャンネル４３１１は丸い断面を有するか穴である。上記合流点と上記スロート導管４２２の頂部との間には、中空空間４５が存在する。したがって、Ｖ字配向ノズルから出てくる可燃性ガスは、図２に示すように、直線状のトーチカラム形状を有する力強い炎を少なくとも２つ生成する。
【００２０】
図２に示すように、上記点火手段はノズルブロック４３の一方の側であって、かつ、迂回チャンネルから出てくる可燃性ガスの経路の上部で少し離れたところに設けられる。したがって、点火器は、ノズル４３１から出てくる可燃性ガスの主要ジェットを点火する前に、迂回チャンネルから出てくる可燃性ガスを点火する。
【００２１】
図３は、蒸発器、ミキシングチャンバーおよび３つのノズルによる本発明の別の好ましい実施形態の断面図である。３つのノズル４３１は、Ｖ字配向を有する２つの側方ノズルと、可燃性ガスの出口経路の軸に沿った中央ノズルとを有するよう配列されている。ノズルの間の上記小さな表面領域４３３Ａは、出てくるガスに対して最小の抵抗のみを有し、当該可燃性ガスのほとんどがノズルを通過するほどに小さい。この領域は約１．０ｍｍである。迂回チャンネル４３１１は、図２と同様の配列である。
【００２２】
直線状のカラム形状を有する炎の３つのトーチまたはジェットを形成することの困難さは、炎が非常に近接して位置しているのでお互いが一緒になってしまう傾向があることである。したがって、蒸発器４１およびミキシングチャンバー４２ならびにスロート導管４２２は、迂回チャンネル４３１１および略Ｖ字配向のバーナーノズル４３１と協働して炎が一緒にならないようにするよう配設されることが理解され得る。このことにより、可燃性ガスが力強く出てくることを保証されるだけではなく、当該ガスの十分な燃焼が保証される。したがって、ノズルからの炎の主要ジェットは、炎の先端でより高温を生成し得る。
【００２３】
図４は、本発明の蒸発器、ミキシングチャンバーおよびＶ字配向ノズルの別の実施形態を示す。この実施形態は、各ノズルの頂部に隣接して迂回チャンネル４３１１Ａを有する。この配置においては、ノズル４３１の出口４３２はさらに狭くなければならず、かつ、迂回チャンネル４３１１Ａは出口４３２に近くなければならない。その結果、周囲の炎の輪が、炎の力強いジェットを補助し、かつ、安定化し得る。
【００２４】
図５は、図１および図２の好ましい実施形態による蒸発器およびノズルアセンブリを示す斜視図である。ただし、ノズルは、ギア型の外郭を有する。図５に示すように、ノズルまたはバーナーブロック４３は、周囲に垂直方向の迂回チャンネル４３１１Ｂを有し、当該チャンネルは、少量の迂回可燃性ガスを当該可燃性ガスの出口経路の軸方向の外側に迂回させる。このことにより、周囲の炎のより良好な輪が保証される。このようなノズルブロック４３は、蒸発器およびミキシングアセンブリのシートの内部に位置し、かつ、これらに適合している。その結果、シートの垂直方向の壁が、ノズルブロック４３のチャンネル化された外郭と一緒になって、周囲チャンネル４３１１Ａを規定する。
【００２５】
図６は、図５のギア型ノズルブロックを示す。この図は、ノズルブロック４３のチャンネル化された外表面を示す。周囲チャンネル４３１１Ａは均一に形成されている。図７にさらに示すように、迂回チャンネルの底部は、実際には、蒸発器およびミキシングチャンバーの頂部表面とノズルブロック４３の底部表面とにより規定される空間４５１の層である。しかし、空間４５１の層は、実際には、Ｖ字配向ノズル４３１の焦点から延びる多数の迂回チャンネル４３１１として機能する。このようなバーチャルチャンネル４３１１の各々は、対応する周囲チャンネル４３１１Ｂを有する。空間４５１は、多数の迂回チャンネル４３１１を代替し、各部分の機械加工を容易にする。図７に示すように、合流領域４３３は約１．０ｍｍである。周囲の可燃性ガスチャンネルの上部に適切に配置された点火器は、可燃性ガスの主要ジェットを点火する前に、周囲ガスの輪を正確に点火する。
【００２６】
図８は、図３の好ましい実施形態による、３つのノズルを有する蒸発器およびノズルアセンブリを示す斜視図である。ただし、ノズルは、ギア型の外郭を有する。図５と同様に、ギア型ノズルアセンブリは、蒸発器およびミキシングアセンブリの頂部でシートの内部に位置し、かつ、これらに適合している。その結果、複数の垂直チャンネル４３１１Ｂが、シートの垂直方向の壁とノズルブロック４３のチャンネル化された外郭との間に規定される。
【００２７】
図９は、図８の本発明のギア型ノズルブロックのチャンネル化された外表面を示す。図１０は、迂回チャンネル４３１１が、実際には、基本的にＶ字配向のノズル４３１の焦点の面で延びる空間４５１の層であることを示す。ギア型ノズルブロックは製造が容易であり、また、周囲の炎の均一な輪を保証し得る。
【００２８】
図１１の別の実施形態においては、迂回チャンネルは丸い断面形状でも穴でもなく、スロット４３１１Ｃである。これらのスロット４３１１Ｃは、Ｖ字配向ノズルまたはノズルチャンネル４３１の底部またはベースに設けられる。下向きスロット４３１１Ｃは、図２および図３に示すような中空空間４５を代替する。
【００２９】
図１２は、ノズルの別の実施形態を示す。ノズル４３１は、最初はＶ字配向を有し、かつ平行なノズルチャンネル４３１Ａを上部に有する。図１３は、ノズル形状のさらに別の実施形態を示す。この実施形態は、図１２に類似しているが、ノズル４３１の頂部に隣接して迂回チャンネル４３１１Ａを有する。
【００３０】
本発明の教示に基づくさらなる改変が存在する。しかし、それらは、添付の特許請求の範囲に規定される本発明の範囲内である。
【図面の簡単な説明】
【００３１】
【図１】本発明の多数の炎のライターの好ましい実施形態の斜視図である。
【図２】図１の蒸発器、ミキシングチャンバーおよび２つのＶ字配向ノズルの好ましい実施形態の断面図である。
【図３】本発明の蒸発器、ミキシングチャンバーおよび３つのノズルの別の好ましい実施形態の断面図である。
【図４】本発明の蒸発器、ミキシングチャンバーおよび２つのノズルのさらに別の実施形態を示し、当該実施形態は各々のノズルの頂部に隣接して迂回チャンネルを有する。
【図５】図１および図２の好ましい実施形態の蒸発器およびノズルアセンブリを示す斜視図であり、ただし、ノズルはギア型外郭を有する。
【図６】図５の本発明のギア型ノズルの斜視図であり、当該実施形態はチャンネル化された外表面を有する。
【図７】図６のギア型ノズルの断面図である。
【図８】３つのノズルを有する図３の好ましい実施形態の蒸発器およびノズルアセンブリの斜視図であり、ただし、ノズルはギア型外郭を有する。
【図９】図８の本発明のギア型ノズルの斜視図であり、チャンネル化された外表面を示す。
【図１０】図８のギア型ノズルの断面図である。
【図１１】迂回チャンネルの別の実施形態を示し、当該実施形態は穴ではなくスロット形状を有する。
【図１２】最初はＶ字配向を有しかつ平行なノズルチャンネルを上部に有する、ノズルの別の実施形態の断面図である。
【図１３】図１２に類似したノズル形状の別の実施形態の断面図であり、ただし、当該実施形態は、ノズルの頂部に隣接して迂回チャンネルを有する。
【図１】
2004528524.tif 000003
【図２】
2004528524.tif 000004
【図３】
2004528524.tif 000005
【図４】
2004528524.tif 000006
【図５】
2004528524.tif 000007
【図６】
2004528524.tif 000008
【図７】
2004528524.tif 000009
【図８】
2004528524.tif 000010
【図９】
2004528524.tif 000011
【図１０】
2004528524.tif 000012
【図１１】
2004528524.tif 000013
【図１２】
2004528524.tif 000014
【図１３】
2004528524.tif 000015
【国際公開パンフレット】
2004528524.tif 000016
2004528524.tif 000017
2004528524.tif 000018
2004528524.tif 000019
2004528524.tif 000020
2004528524.tif 000021
2004528524.tif 000022
2004528524.tif 000023
2004528524.tif 000024
2004528524.tif 000025
2004528524.tif 000026
2004528524.tif 000027
2004528524.tif 000028
2004528524.tif 000029
2004528524.tif 000030
2004528524.tif 000031
2004528524.tif 000032
2004528524.tif 000033
2004528524.tif 000034
2004528524.tif 000035
2004528524.tif 000036
2004528524.tif 000037
2004528524.tif 000038
2004528524.tif 000039
【国際調査報告】
2004528524.tif 000040
2004528524.tif 000041
2004528524.tif 000042